(57)【要約】【課題】  インターネットにおいて提供されている世界中の膨大なテレビやラジオ放送を、通信速度の面からまだ不利な環境にある、携帯型端末において集約紹介し、容易に分かりやすく視聴する仕組みを提供すること。【解決手段】  利用者の携帯型通信端末内で稼動する接続用プログラムと、インターネット上に設置されてある集約紹介情報配信用サーバと、携帯端末通信回線とからなり、番組接続待ち時間中あるいは接続中断時は一定時間広告情報を流すことからなるインターネットテレビラジオ番組配信システムを提供する。【選択図】図１
2009273097.tif 000002
【特許請求の範囲】
【請求項１】
世界中のインターネットテレビまたはインターネットラジオ情報を集約紹介するシステムであって、利用者の携帯端末（Ｍ）内で稼動する接続用プログラム（１）と、インターネット（２）上に設置されてある集約紹介情報配信用サーバ（３）と、携帯端末通信回線（４）とからなり、番組接続待ち時間中は一定時間広告情報（５）を流すことを特徴とするインターネットテレビ（ラジオ）番組配信システム。
【請求項２】
利用者の携帯端末（Ｍ）内で稼動する接続用プログラム（１）は、インターネット（２）上に設置されてある集約紹介情報配信用サーバ（３）から利用者によってダウンロードされ、その接続用プログラム（１）は、初回起動時に利用者情報を携帯端末（Ｍ）内に保存することを特徴とする、請求項１記載のインターネットテレビ（ラジオ）番組配信システム。
【請求項３】
利用者の携帯端末（Ｍ）内で稼動する接続用プログラムが稼動するＯＳが、マイクロソフト社のウインドウズ（商標）モバイル（６）である、請求項１乃至２記載のインターネットテレビ（ラジオ）番組配信システム。
【請求項４】
利用者の携帯端末（Ｍ）内で稼動する接続用プログラム（１）は、インターネットテレビ（ラジオ）番組選択時の画面において、集約紹介情報配信用サーバ（３）が利用者から得た利用者情報とインターネットテレビ（ラジオ）番組へのアクセス状況を元に、番組の人気別またはアクセス数別または趣向別または利用者の性別または年齢別に好まれる傾向の番組のリストを自動的に抽出し、リストの上位に表示することを特徴とする、請求項１乃至３記載のインターネットテレビ（ラジオ）番組配信システム。
【請求項５】
利用者の携帯端末（Ｍ）内で稼動する接続用プログラムが稼動する環境において、無線ＬＡＮが使用できる場合は、携帯端末通信回線（４）ではなく、自動的に無線ＬＡＮ環境を使用することを特徴とする、請求項１乃至４記載のインターネットテレビ（ラジオ）番組配信システム。
【請求項６】
請求項２記載の利用者情報が、利用者の使用する携帯端末（Ｍ）のメーカー、機種、利用者の性別、年齢、住所、趣味、メールアドレス、電話番号のいずれか１つ以上であることを特徴とする、請求項１乃至５記載のインターネットテレビ（ラジオ）番組配信システム。
【請求項７】
インターネット（２）への接続状態が悪く、閲覧中のインターネットテレビまたはインターネットラジオ情報が中断した場合は、自動的に一定時間広告情報（５）を流し、その間に再接続を試みることを特徴とする、請求項１乃至６記載のインターネットテレビ（ラジオ）番組配信システム。
【請求項８】
請求項１において流す広告情報（５）は、接続中のインターネットテレビまたはインターネットラジオ情報との関連性が、集約紹介情報配信用サーバ（３）において予め定義されている場合は、その定義に基づき関連性の高い広告情報を優先して流されるものであることを特徴とする、請求項１乃至７記載のインターネットテレビ（ラジオ）番組配信システム。
【発明の詳細な説明】
【技術分野】
【０００１】
本発明は、インターネット上に存在する世界中のテレビまたはラジオ番組情報及びサービスをユーザーが所有する携帯端末（Ｍ）に提供する技術に関する。
【背景技術】
【０００２】
近年、インターネットにおいて世界中のテレビ放送やラジオ放送が提供され、それらをインターネットに接続されたパソコン等の端末機器から閲覧できるサービスが提供されてきている。また、インターネット経由のテレビラジオ放送は、世界規模ではその数が膨大であるために、それらを集約紹介し、利用者の趣向に応じた情報として配信する二次情報的サービスも提供されつつある（特許文献１，２参照）。
【０００３】
また、携帯電話やモバイル端末など携帯型の通信端末も広く普及し、キャリア各社の通信エリアや通信速度の向上が図られ、通信サービス料金も低廉になってきた。携帯型通信端末に対応したオペレーティングシステム（マイクロソフト社のＷｉｎｄｏｗｓ  Ｍｏｂｉｌｅなど）も優れた環境を提供しており、それらを利用したインターネット接続環境の活用がさらに進んできている。
【特許文献１】特開２００５−２３６９０１
【特許文献２】特開２００７−３００６５６
【発明の開示】
【発明が解決しようとする課題】
【０００４】
上記のようにインターネットにおいて提供されている世界中のテレビやラジオ放送は、膨大な数に上るものであるが、固定式のインターネット接続端末で視聴するにはいくつかの環境が提供され始めてはいるものの、通信速度の面からまだ不利な環境にある、携帯型端末においてそれらを容易に分かりやすく視聴する仕組みは提供されてこなかった。
【０００５】
また、携帯型通信端末でインターネットテレビラジオ放送を受信する場合、接続までの待ち時間や通信状態不良の場合の接続切れなど、利用者の視聴感覚上、不快な状況を効果的に改善する方法は提供されてこなかった。
【０００６】
本発明は、かかる状況に鑑みてなされたものであり、世界中のインターネットテレビまたはインターネットラジオ情報を集約紹介するシステムであって、利用者の携帯型通信端末内で稼動する接続用プログラムと、インターネット上に設置されてある集約紹介情報配信用サーバと、携帯端末通信回線とからなり、番組接続待ち時間中あるいは接続中断時は一定時間広告情報を流すことを特徴とするインターネットテレビラジオ番組配信システムを提供することを目的とする。
【課題を解決するための手段】
【０００７】
本発明者は鋭意検討した結果、上記目的は、下記１：から８：の本発明により達成されることを見出し、本発明を完成するに至った。
【０００８】
１：  世界中のインターネットテレビまたはインターネットラジオ情報を集約紹介するシステムであって、利用者の携帯端末（Ｍ）内で稼動する接続用プログラム（１）と、インターネット（２）上に設置されてある集約紹介情報配信用サーバ（３）と、携帯端末通信回線（４）とからなり、番組接続待ち時間中は一定時間広告情報（５）を流すことを特徴とするインターネットテレビ（ラジオ）番組配信システム。
２：  利用者の携帯端末（Ｍ）内で稼動する接続用プログラム（１）は、インターネット（２）上に設置されてある集約紹介情報配信用サーバ（３）から利用者によってダウンロードされ、その接続用プログラム（１）は、初回起動時に利用者情報を携帯端末（Ｍ）内に保存することを特徴とする、１：記載のインターネットテレビ（ラジオ）番組配信システム。
３：  利用者の携帯端末（Ｍ）内で稼動する接続用プログラムが稼動するＯＳが、マイクロソフト社のウインドウズ（商標）モバイル（６）である、１：乃至２：記載のインターネットテレビ（ラジオ）番組配信システム。
４：  利用者の携帯端末（Ｍ）内で稼動する接続用プログラム（１）は、インターネットテレビ（ラジオ）番組選択時の画面において、集約紹介情報配信用サーバ（３）が利用者から得た利用者情報とインターネットテレビ（ラジオ）番組へのアクセス状況を元に、番組の人気別またはアクセス数別または趣向別または利用者の性別または年齢別に好まれる傾向の番組のリストを自動的に抽出し、リストの上位に表示することを特徴とする、１：乃至３：記載のインターネットテレビ（ラジオ）番組配信システム。
５：  利用者の携帯端末（Ｍ）内で稼動する接続用プログラムが稼動する環境において、無線ＬＡＮが使用できる場合は、携帯端末通信回線（４）ではなく、自動的に無線ＬＡＮ環境を使用することを特徴とする、１：乃至４：記載のインターネットテレビ（ラジオ）番組配信システム。
６：  ２：記載の利用者情報が、利用者の使用する携帯端末（Ｍ）のメーカー、機種、利用者の性別、年齢、住所、趣味、メールアドレス、電話番号のいずれか１つ以上であることを特徴とする、１：乃至５：記載のインターネットテレビ（ラジオ）番組配信システム。
７：  インターネット（２）への接続状態が悪く、閲覧中のインターネットテレビまたはインターネットラジオ情報が中断した場合は、自動的に一定時間広告情報（５）を流し、その間に再接続を試みることを特徴とする、１：乃至６：記載のインターネットテレビ（ラジオ）番組配信システム。
８：  １：において流す広告情報（５）は、接続中のインターネットテレビまたはインターネットラジオ情報との関連性が、集約紹介情報配信用サーバ（３）において予め定義されている場合は、その定義に基づき関連性の高い広告情報を優先して流されるものであることを特徴とする、１：乃至７：記載のインターネットテレビ（ラジオ）番組配信システム。
【発明の効果】
【０００９】
第１発明、第２発明、第３発明にあっては、利用者の携帯端末（Ｍ）内で稼動する接続用プログラム（１）により、世界のどこからでも世界中のインターネットテレビまたはインターネットラジオ情報を集約紹介するシステムを利用してそれら番組を視聴することができ、起動時の番組接続待ち時間中は一定時間広告情報（５）を見ることにより、精神的な不快さから開放されると共に、広告料収入を得られる事業とすることができる。
【００１０】
第４発明、第６発明、第８発明にあっては、利用者の趣向に応じた番組内容を構成することにより、より利用者にとって利便性の高いシステムを提供するとともに、待ち時間などに表示される広告情報にも利用者の趣向や番組内容を反映させることにより、さらに効果的な広告活動や利用者にとって有効な情報環境を提供することができる。
【００１１】
第５発明、第７発明にあっては、利用者が携帯端末を利用する環境に応じて、より低コスト、かつ快適な環境で世界中のインターネットテレビ（ラジオ）番組の視聴を提供するものである。
【発明を実施するための最良の形態】
【００１２】
図１は、本発明の実施形態におけるインターネットテレビ（ラジオ）番組配信システムの概略図である。以下にシステムの利用手順を説明する。
[1]  紹介情報配信用サーバ（３）は、インターネット回線（２）を通じて、定期的に世界のインターネットテレビ（ラジオ）サイトの配信用サーバを検索、アクセスし、情報取得を行う。このサーバ（３）内には、利用者の携帯端末（Ｍ）向けの接続用プログラム（１）が保管されており、利用者からのダウンロードリクエストに応じてプログラムを提供する。また、利用者向けの広告情報および利用者のアクセス情報や端末情報等の管理情報と共に、広告情報とのリンク情報等も搭載されており、紹介情報配信システムにより、個別の携帯端末向けに適した番組リストや広告情報の選択配信を行う。携帯端末（Ｍ）に搭載されるオペレーティングシステムは、マイクロソフト社のＷｉｎｄｏｗｓ  Ｍｏｂｉｌｅが好適に用いられる。
【００１３】
[2]  携帯端末(M)は、携帯端末通信回線（４）およびインターネット回線（２）を通じて、接続用プログラム（１）をダウンロードする。このプログラム（１）を最初に起動する際には、利用者の使用する携帯端末（Ｍ）のメーカー、機種、利用者の性別、年齢、住所、趣味、メールアドレス、電話番号等の個別情報が採集され、以後の紹介情報配信用サーバ（３）とのアクセスや番組選択、広告情報選択の際に活用される。
【００１４】
[3]  利用者がインターネットテレビ（ラジオ）番組を視聴する際は、接続用プログラム（１）が表示する利用者に適した番組リストから番組を選択し（同時に利用者の趣向や選択番組に関連づけられた広告情報も表示されている）、プログラム（１）は、情報配信用サーバ（３）にアクセスし、最新番組サイトの情報を得、目的のインターネットテレビ（ラジオ）番組の配信サイトに接続される。
【００１５】
[4]  配信元の国内外インターネットテレビ（ラジオ）サイトへの接続待ち時間の一定時間は、広告情報（５）を携帯端末（Ｍ）に表示する。また、インターネットテレビ（ラジオ）サイトへの接続状態が悪化し、受信不良となった場合は自動的に広告情報（５）に切替え、接続状態が回復するまで一定時間待機する。
【図面の簡単な説明】
【００１６】
【図１】本発明の実施形態におけるインターネットテレビ（ラジオ）番組配信システムの概略図である。
【符号の説明】
【００１７】
（１）接続用プログラム
（２）インターネット回線
（３）紹介情報配信用サーバ
（４）携帯端末通信回線
（５）広告情報
（６）ウインドウズ・モバイル
[1]定期的に各国のインターネットテレビサイトを検索、情報取得。
[2]携帯端末(M)は、接続用プログラムをダウンロード
[3]接続用プログラムは、情報配信用サーバにアクセスし、最新番組サイトの情報を得る。
[4]配信元の国内外インターネットテレビサイトへの接続待ち時間の一定時間は、広告情報(5)を携帯端末(M)に表示する。
【図１】
2009273097.tif 000003